(57)【要約】【課題】磁気回路構成部品と振動系のフレーム部分とを、組立て状態では充分な機械的結合強度を確保しつつ、比較的容易に分割可能でリサイクル化が実現できるスピーカユニットを得る。【解決手段】ヨーク１、マグネット２およびプレート３からなる磁気回路を構成する磁気回路構成部品と、その上部に配置され振動板を含む振動系を構成するためのフレーム４とを備える。このフレーム４は、磁気回路構成部品と接合されるフランジ部４ａの周囲に複数の窓抜き部１０を有するとともに、該窓抜き部を利用することでフランジ部よりも後方に延設される複数の掛け止め片１１を備える。これらの掛け止め片は、磁気回路構成部品をフレームのフランジ部に積層させた状態で掛け止めし、これらを一体的に結合固定する。【選択図】        図１
2004304497.tif 000002
【特許請求の範囲】
【請求項１】
ヨーク、マグネットおよびプレートからなる磁気回路を構成する磁気回路構成部品と、その上部に配置され振動板を含む振動系を構成するためのフレームとを備えているスピーカユニットにおいて、
前記フレームは、磁気回路構成部品と接合されるフランジ部の周囲に複数の窓抜き部を有するとともに、該窓抜き部を利用することで前記フランジ部よりも後方に延設されるように形成される複数の掛け止め片を備え、
これらの掛け止め片は、前記磁気回路構成部品を前記フレームのフランジ部に積層させた状態で掛け止めすることにより、これらを一体的に結合固定するように構成されていることを特徴とするスピーカユニット。
【請求項２】
請求項１記載のスピーカユニットにおいて、
前記フレームは、非磁性金属材により形成されていることを特徴とするスピーカユニット。
【請求項３】
請求項１記載のスピーカユニットにおいて、
前記フレームは、合成樹脂材により形成されていることを特徴するスピーカユニット。
【発明の詳細な説明】
【０００１】
【発明の属する技術分野】
本発明は、小型のスピーカユニットに関し、特にリサイクル化の実現のために構造を改良してなるスピーカユニットに関する。
【０００２】
【従来の技術】
音響機器等に使用されるスピーカユニットは、アンプからの電気信号を音響信号に変えるひとつの電気音響変換器であり、従来から種々の構造のものが知られている。
【０００３】
その一例を図３を用いて説明すると、このスピーカは、フランジ部１ａを有しボトムプレートと呼ばれる磁性材製のヨーク１と、フランジ部１ａ上に載置されるリング状のマグネット２と、このマグネット２上に載置される磁性材製のリング状プレート３とからなり磁気回路を構成する磁気回路構成部品を備えている。
【０００４】
前記プレート３の上部には、フレーム４の下端部に形成されたリング状フランジ部４ａが載置されている。このフレーム４の正面側（図中上方）には、コーン紙等の振動板８、およびダンパー５が組み付けられ、振動系が構成されている。
また、ヨーク１とプレート３との間に形成される磁気ギャップ中には、ボイスコイル６が配設されている。
【０００５】
以上のような構造をもつスピーカユニットにおいて、振動系を含むフレーム４と磁気回路構成部品であるヨーク１、マグネット２、プレート３とは、それぞれ接着剤７を用いて一体的に接着固定されている。
【０００６】
すなわち、この種のスピーカユニットでは、ヨーク１のフランジ部１ａ上に接着剤７を塗布した状態でマグネット２を載置しこれを接着固定するとともに、該マグネット２の上部に同様に接着剤７を介してプレート３を接着固定することにより、磁気回路を構成するようになっている。また、この磁気回路構成部品は、そのプレート３の上部にフレーム４のフランジ部４ａを載置し、接着剤７を介して接着固定することで、これらを一体的に組み立てている（例えば、特許文献１参照）。
また、上記のプレート３とフレーム４とを、たとえばダボとかしめ穴との組合せ等の連結手段を介してかしめ付け固定することで一体的に結合したものも知られている。
【０００７】
【特許文献１】
特開平８−１４０１８９号公報
【０００８】
【発明が解決しようとする課題】
上述した従来のスピーカユニットでは、各構成部品が分解しにくく、昨今重要課題とされているリサイクル化への対応が困難であるという問題があった。
すなわち、近年、ゴミ処理に関連する有害ガス発生等を含む地球環境の悪化に対処するための試みが盛んに行われており、工業製品一般に対して、リサイクル化を実現することは社会的にきわめて重要な課題となっている。
【０００９】
しかし、上述した従来のスピーカユニットでは、構造上分解しにくい構造であるため、リサイクル化が困難であるという問題があった。すなわち、上述したスピーカユニットでは、磁性材（たとえば鉄）やマグネットで構成されている磁気回路構成部品と、樹脂、紙、布等で構成されている振動系を含むフレーム４の部分とを分割することができれば、リサイクル化が可能となるが、接着剤７で固定されている各部品は分解しにくく、リサイクル化への対応が不十分であった。
【００１０】
本発明はこのような事情に鑑みてなされたものであり、組立て状態では、磁気回路構成部品とフレーム部分との間の十分な機械的結合強度を確保しつつ、磁気回路構成部品とフレーム部分とをきわめて容易に分割可能で、リサイクル化を実現可能なスピーカユニットを得ることを目的としている。
【００１１】
【課題を解決するための手段】
このような目的に応えるために本発明（請求項１記載の発明）に係るスピーカユニットは、ヨーク、マグネットおよびプレートからなる磁気回路を構成する磁気回路構成部品と、その上部に配置され振動板を含む振動系を構成するためのフレームとを備えているスピーカユニットにおいて、前記フレームは、磁気回路構成部品と接合されるフランジ部の周囲に複数の窓抜き部を有するとともに、該窓抜き部を利用することで前記フランジ部よりも後方に延設されるように形成されている複数の掛け止め片を備え、これらの掛け止め片は、前記磁気回路構成部品を前記フレームのフランジ部に積層させた状態で掛け止めすることにより、これらを一体的に結合固定するように構成されていることを特徴とする。
【００１２】
本発明（請求項２記載の発明）は、請求項１記載のスピーカユニットを技術的に限定したものであり、フレームを、非磁性金属材により形成したことを特徴とする。
本発明（請求項３記載の発明）は、請求項１記載のスピーカユニットを技術的に限定したものであり、フレームを、合成樹脂材により形成したことを特徴とする。
【００１３】
本発明によれば、磁気回路構成部品としてのヨーク、マグネットおよびプレートと、振動系を構成するフレームとを組み立てるにあたって、該フレームのフランジ部に、ヨーク、マグネットおよびプレートを積み重ねて配置した後、フレームの掛け止め片の先端をかしめることで形成した折曲げ係止部で係止して、これらの部材を所要の機械的結合強度をもって一体的に結合固定することができるのである。
【００１４】
【発明の実施の形態】
図１および図２は本発明に係るスピーカユニットの一実施の形態を示すものであり、これらの図において、前述した図３と同一または相当する部分には同一番号を付して詳細な説明は省略する。
【００１５】
これらの図に示すように、スピーカユニットの要部構成は、従来のものと略同じであるが、フレーム４の下端部側が従来のものと相違している。
すなわち、前記フレーム４は、磁気回路構成部品（１，２，３）と接合されるフランジ部４ａの周囲に、コーン紙等の振動板８の動作を妨げないように複数の窓抜き部１０が形成されている。そして、本発明によれば、この窓抜き部１０を利用することで、前記フランジ部４ａよりも後方に延設されるように形成されている複数（ここでは４片）の掛け止め片１１を備えていることを特徴とする。
【００１６】
これらの掛け止め片１１は、図２に示すように、フランジ部４ａの周囲を取り囲み、該フランジ部４ａ上に積層されるプレート３、マグネット２、ヨーク１を積層状態で、先端の折曲げ係止部１１ａをかしめ付けることにより、全体を一体的に結合固定することができるのである。
【００１７】
この実施の形態では、フレーム４が非磁性金属材により形成されており、前記掛け止め片１１を、窓抜き部１０を利用した引き起こしで形成している。また、先端の折曲げ係止部１１ａは、ヨーク１、マグネット２、プレート３を積層して組み合わせた状態でかしめることで形成でき、この折曲げ係止部１１ａにより所要の機械的強度をもって固定できることは容易に理解される。
【００１８】
このような構成によれば、磁気回路構成部品としてのヨーク１、マグネット２およびプレート３と、振動系を構成するフレーム４とを組み立てるにあたっては、該フレーム４のフランジ部４ａに、ヨーク１、マグネット２およびプレート４を積み重ねて配置する。しかる後、フレーム４の掛け止め片１１の先端をかしめることで形成した折曲げ係止部１１ａで係止するという簡単な作業によって、これらの部材を所要の機械的結合強度をもって一体的に結合固定することができるのである。
【００１９】
このような構成によれば、新たな部品を追加することなく、また接着剤を使わずにスピーカユニットを組み立てることができる。さらに、従来必要であった接着剤の乾燥時間が不要であるから、生産性が向上するという利点もある。また、各部品間に接着剤の層がなくなるため、磁界の流れがスムーズになり、スピーカとしての性能品質を向上させ得るという効果をもつものである。
【００２０】
また、このような構成では、上記の折曲げ係止部１１ａの係止を外すだけで、ヨーク１、マグネット２、プレート３、さらにこれらとフレーム４とを分解することができるのである。したがって、スピーカユニットを廃棄する際には、その構成部品を有効に回収し、リサイクル化を実現できるのである。
【００２１】
なお、本発明は上述した実施の形態で説明した構造には限定されず、各部の形状、構造等を適宜変形、変更し得ることはいうまでもない。
たとえば上述した実施の形態では、フレーム４を非磁性金属材で形成しているが、これに代えて合成樹脂材で形成した樹脂製フレームを用いてもよい。このときには、フレーム４の掛け止め片１１を、折曲げ係止部１１ａを含めてインサート成形等で形成するといった変形例が考えられる。
【００２２】
【発明の効果】
以上説明したように本発明に係るスピーカユニットによれば、フレームのフランジ部に、ヨーク、マグネットおよびプレートを積み重ねて配置した後、フレームの掛け止め片の先端をかしめることで形成した折曲げ係止部で係止して、これらの部材を所要の機械的結合強度をもって一体的に結合固定することができるから、組立て状態では、磁気回路構成部品とフレーム部分との間の十分な機械的結合強度を確保しつつ、磁気回路構成部品とフレーム部分とをきわめて容易に分割可能で、リサイクル化を実現することができるのである。
【図面の簡単な説明】
【図１】本発明に係るスピーカユニットの一実施の形態を示す要部拡大断面図である。
【図２】図１で用いるフレームを示す概略斜視図である。
【図３】従来のスピーカユニットを例示する要部拡大断面図である。
【符号の説明】
１…ヨーク
２…マグネット
３…プレート
４…フレーム
４ａ…フランジ部
５…ダンパー
６…ボイスコイル
８…振動板（コーン紙）
１０…窓抜き部
１１…掛け止め片
１１ａ…折曲げ係止部
【図１】
2004304497.tif 000003
【図２】
2004304497.tif 000004
【図３】
2004304497.tif 000005